(57)【要約】      （修正有）【課題】リクライニング椅子に座った個人が、身体の中で一番重い頭部の重量が自分の頸椎および脊椎に掛かっていて十分リラックス出来ないことを解決すること、および「一般のリクライニング椅子」において、これに座った個人がそのリクライニング椅子が体型番に合っていないため十分リラックス出来ないでいたことを解決する。【解決手段】「リクライニング椅子」において、縦方向の荷重を支える水平なヘッドレスト２を設け、さらに、この「リクライニング椅子」において、水平ヘッドレスト２の位置が、個人の座高の高低に合わせられる機構７、およびリクライニングの角度の如何によらず常に水平を保てるようにする機構３を設ける。【選択図】図１
2004314936.tif 000002
【特許請求の範囲】
【請求項１】
旅客航空機、新幹線等の旅客列車、旅客バスおよび乗用車等の座席のうち、運行従事者、運転者等を除く乗客が利用するリクライニングシート、ならびに一般家庭、オフィス等で使用されるリクライニングチェア（以下、これらをすべて「リクライニング椅子」と呼ぶ。）において、座った状態における頭部の荷重を脊椎から解放し、頭部の荷重を支えることを目的にした、後頭部を乗せるための水平なヘッドレストを設けること。
【請求項２】
「リクライニング椅子」において、異なる個人の体格等に合わせ、背もたれの位置、角度等を調節しても、請求項１のヘッドレストが、常に水平になるようにすること。
【請求項３】
「リクライニング椅子」において、請求項１のヘッドレストが、異なる個人の座高に適合するように、座った時の臀部の位置から、後頭部を乗せるための水平ヘッドレストまでの距離を調節できること。
【発明の詳細な説明】
【技術分野】
【０００１】個々人が、社会生活、ビジネスの遂行過程等で、多大なストレスを受ける傾向は益々強まっており、そのストレス解消は社会的な急務である。その最も簡単な解決策は休息である。一般に休息は、個々人の身体をリラックスさせることにより、身体的、精神的な開放感を得ることであり、「リクライニング椅子」に座ることは、一般的に簡単で、短時間で休息できることで知られている。個々人が、自分の体型に合致した「リクライニング椅子」に座ることによって、身体的な緊張を解放し、より短時間に開放感を実感できれば、個々人の日常の生活での活力増進を図れ、社会的、産業上のメリットは計り知れない。
【背景技術】
【０００２】従来、「リクライニング椅子」においては、腰部にとって望ましい、優しいものであること、脊椎にとっては変形することの少なく、その姿勢が悪くならないこと等が主に追求されてきた。したがって、首および頭部の安楽性については十分配慮されているとは言い難く、特に医学的には、頸椎に掛かっている負担の軽減、保護、脊椎の負担軽減、伸張等について特に配慮されていないため、従来の「リクライニング椅子」では、本当の意味でのリラックス状態が得られたとは言い切れなかった。
【発明の開示】
【発明が解決しようとする課題】
【０００３】従来、「リクライニング椅子」は、頭部を背もたれに沿って位置させるため、通常体重の１／４から１／５を占める頭部の荷重は半分程度頸椎から脊椎に掛かったままなので、ベッドのように横臥する場合を除けば、従来の「リクライニング椅子」はリラックスの度合いが大きくなかった。そこで、本発明の「リクライニング椅子」において、座った時に身体の頭部の荷重のうち、脊椎方向に掛かっている頭部荷重を軽減させる。【０００４】また、従来の「リクライニング椅子」は、個々人の体型に合わせることの出来るものではないため、臀部の位置を決めても、体型の大小により身体の各部の位置が椅子にぴったり合っているとは言えず、特に後頭部の位置を個人の体型に合わせて設定することは出来なかった。そこで、本発明の「リクライニング椅子」において、個々人の身体に合わせて頭部、臀部および腰の位置が決められ、身体が最大限リラックス出来る新しい「リクライニング椅子」を実現する。
【課題を解決するための手段】
【０００５】本発明は、課題を解決する手段として、図１に示すような「リクライニング椅子」に、（１）頭部の縦方向の荷重を支えるために、後頭部を置く水平なヘッドレストを設けること、（２）背もたれの角度が変わっても、ヘッドレストの水平性が保たれること、（３）座った時の臀部の位置からヘッドレストまでの距離を変えられることの三つの機構を設けることである。
【発明の効果】
【０００６】本発明の「リクライニング椅子」は、社会生活に忙しい個々人の日常生活における限られた時間、たとえば車両に乗って座席に座った時のホッとした時間、また自宅でやっと得た安息の時間等に、特に頸椎、脊椎に掛かる負担を軽減することにより、極めてゆったりとした開放感を感じることでストレスを解消することができる。併せて、脊椎、頸椎、腰椎等に異常の無い健常者でも、潜在的な脊椎関連の病気の予防が出来、健康維持に役立つほか、脊椎、頸椎、腰椎等に異常を持っている病人にとっては、病気の進むのを阻止するばかりでなく、病気の治療にも役立つ効果がある。
【発明を実施するための最良の形態】
【０００７】「リクライニング椅子」において、座った状態で後頭部を乗せるため、図１に示すように、２の水平なヘッドレストを設ける。【０００８】「リクライニング椅子」において、図１に示すように、１の背もたれ部分および２のヘッドレストを固定している平行四辺形の構造体３が機能して、１の背もたれ部分の角度が変わっても、構造体３の上方部に位置する２のヘッドレストは、常に水平な状態を保つことができる。【０００９】「リクライニング椅子」において、図１に示すように、１の背もたれ部分を固定している平行四辺形の可動式構造体３の上部に、蛇腹式の可動式構造体４を乗せ、これを上下することにより、２のヘッドレストを水平に保ったまま、その高さを変えることができる。
【実施例１】
【００１０】水平ヘッドレスト２にはヘッドレスト・スカート８が、図３のように背もたれ１の前面上部に垂れており、水平ヘッドレスト２の上下に合わせて移動する。また、このスカートは背もたれの一部をなし、背もたれ１の上部中心下部で背もたれ１の裏側に入り込むようになっている。また、水平ヘッドレストの他端最奥部にはヘッドストッパー９がついていて、「リクライニング椅子」が後部から衝撃を受けた時に、後頭部を守るようになっている。
【実施例２】
【００１１】２のヘッドレストを水平に保ったままその高さを変える調節機能として、図２に示すように構造体４の高さ調節・固定機構７がある。これは、構造体４の高さを手動または電動モータにより駆動、可変し、ヘッドレスト２の高さを調節、固定するものである。
【実施例３】
【００１２】補助的な調節機能として、図１に示すように背もたれ角度調節機構５がある。これは、平行四辺形の可動構造体３を手動または電動モータにより駆動、可変し、リクライニング椅子背もたれ部分の基礎構造体６に対する角度を調節、固定するものである。
【産業上の利用可能性】
【００１３】本発明の活用例として、旅客航空機の客席の座席、ＪＲ新幹線のグリーン車、私鉄の遊覧用特別車両の座席、長距離運行バス、遊覧バス等の座席、普通乗用車の助手席等には装着して、利用者の利便を図ることができる。また、一般家庭用の安楽椅子、座椅子のほか、オフィスの休憩室用の椅子、ホテルの客室用のリラックスチェア、病院、老人ホーム等の休息用の椅子等として設置されれば歓迎されよう。
【図面の簡単な説明】
【００１４】
【図１】水平ヘッドレスト付リクライニング椅子の横面図を示す。
【図２】水平ヘッドレスト高さ調節・固定機構を示す。
【図３】水平ヘッドレスト付リクライニング椅子の外観図を示す。
【符号の説明】
【００１５】１    背もたれ
２    ヘッドレスト
３    平行四辺形可動式構造体
４    蛇腹式可動式構造体
５    背もたれ角度調節・固定機構
６    基礎構造体
７    ヘッドレスト高さ調節・固定機構
８    ヘッドレスト・スカート
９    ヘッド・ストッパー
【図１】
2004314936.tif 000003
【図２】
2004314936.tif 000004
【図３】
2004314936.tif 000005